(57)【要約】【課題】作業性に優れ、取扱いが容易で、屋根の勾配に対応して組付角度を自在に調整できる鼻隠し用取付金具を提供する。【解決手段】水平壁１１と垂直壁１２からなる断面Ｌ字状で、屋根Ｒの先端上部に略横方向に取付けられ、垂直壁１２の前端部にボルト孔１３が形成された横部材１０と、前面壁２１と側面壁２２からなる断面Ｌ字状で、前面壁２１は縦方向に配置され前側に鼻隠しＦが取付けられ、側面壁２２は前面壁２１から屋根Ｒの先端側に向けて垂設され長孔２３が形成された縦部材２０を備え、縦部材２０の側面壁２２内側に、横部材１０の垂直壁１２外側を重ねて略Ｌ字状とし、横部材１０に対して縦部材２０が昇降，回動自在に締結し、縦部材２０の上部側が横部材１０の垂直壁１２に上からかぶさる方向に回動するときに、横部材の垂直壁１２の上端角部１２ａが侵入する受け孔２４を、縦部材２０の前面壁２１と側面壁２２との連接部分に形成した。【選択図】図３
2007277934.tif 000002
【特許請求の範囲】
【請求項１】
建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、
しかも、前記締結部材を軸に前記縦部材の上部側が前記横部材の垂直壁に上からかぶさる方向に回動するときに、横部材の垂直壁の前端側上端角部が侵入する受け孔を、縦部材の前面壁の、側面壁との連接部分側に形成し、横部材に対して縦部材を前記略Ｌ字状から略直線状になるまで回動自在としたことを特徴とする鼻隠し用取付金具。
【請求項２】
建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、
しかも、前記締結部材を軸に前記縦部材の上部側が前記横部材の垂直壁に上からかぶさる方向に回動するときに、横部材の垂直壁の前端側上端角部が侵入する受け凹部を、縦部材の前面壁の、側面壁との連接部分側に形成し、横部材に対して縦部材を前記略Ｌ字状から略直線状になるまで回動自在としたことを特徴とする鼻隠し用取付金具。
【請求項３】
建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、
しかも、前記締結部材を軸に前記縦部材の上部側が前記横部材の垂直壁に上からかぶさる方向に回動するときに、横部材の垂直壁の前端側上端角部が侵入する受け孔を、縦部材の前面壁と側面壁との連接部分を内側に折り曲げて形成した補強段部に形成し、横部材に対して縦部材を前記略Ｌ字状から略直線状になるまで回動自在としたことを特徴とする鼻隠し用取付金具。
【請求項４】
建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、
しかも、前記締結部材を軸に前記縦部材の上部側が前記横部材の垂直壁に上からかぶさる方向に回動するときに、横部材の垂直壁の前端側上端角部が侵入する受け凹部を、縦部材の前面壁と側面壁との連接部分を内側に折り曲げて形成した補強段部に形成し、横部材に対して縦部材を前記略Ｌ字状から略直線状になるまで回動自在としたことを特徴とする鼻隠し用取付金具。
【請求項５】
前記受け孔を、前記横部材が縦部材に対して最上位の位置で、横部材に対して縦部材を回動させた際に、横部材の垂直壁の前端側上端角部が侵入できる位置に形成したことを特徴とする請求項１または３に記載の鼻隠し用取付金具。
【請求項６】
前記受け凹部を、前記横部材が縦部材に対して最上位の位置で、横部材に対して縦部材を回動させた際に、横部材の垂直壁の前端側上端角部が侵入できる位置に形成したことを特徴とする請求項２または４に記載の鼻隠し用取付金具。
【請求項７】
前記縦部材の前面壁の、前記側面壁が連接された部分とは逆側に別の側面壁を連接して、断面コ字状の縦部材としたことを特徴とする請求項１乃至６のうちいずれか一つに記載の鼻隠し用取付金具。
【発明の詳細な説明】
【技術分野】
【０００１】
本発明は、鼻隠し用取付金具に関する。より詳細には、ビルや体育館などの大型建造物や一般住宅などにおける屋根（主として波板屋根）の先端を覆い隠すための鼻隠しを、屋根に取付けるための取付金具に関するものである。
【背景技術】
【０００２】
ビル、体育館、倉庫、工場、スーパーマーケットなどの大型建造物や一般住宅などには、例えば、波板状の屋根が設けられているものがある。こうした波板屋根には、外観性を考慮して、その先端を覆い隠すためのいわゆる鼻隠しが、図１５および図１６に示すような取付金具４０を介して取付けられている。
【０００３】
従来、この鼻隠し用取付金具４０は、屋根の上端面に固定する断面Ｌ字状の横部材４１と、当該横部材４１の前端部にボルト３１等からなる締結部材３０によって締結され、その前面に鼻隠しが取付けられる断面Ｌ字状の縦部材４２とで構成されている。
【発明の開示】
【発明が解決しようとする課題】
【０００４】
こうした従来の鼻隠し用取付金具４０は、現場において、当該取付金具４０を屋根に取付け、その取付金具４０に鼻隠しを取付けるといった作業の他に、横部材４１と縦部材４２とを締結部材３０で締結する必要があるので、作業性が悪いといった問題がある。
【０００５】
こうした問題は、あらかじめ横部材４１と縦部材４２とを締結部材３０で締結しておくことによって解決できるが、そうすると図１５および図１６に示したように、Ｌ字状の形状となって嵩張ってしまい、取扱いが厄介となってしまうため好ましくない。
【０００６】
また、横部材４１と縦部材４２とを直線状に重ね、取付時にＬ字状に開くことができれば嵩張らず、取扱いが容易となるが、それは、図１７に示すように、横部材４１の先端角部４１ａが縦部材４２の内側面４２ａに当接するので不可能である。
【０００７】
なお、図１７の想像線で示すように、横部材４１の先端角部４１ａをＲ状に湾曲させた状態に削って切欠４１ｂを形成することも考えられるが、そうすると横部材４１と縦部材４２の締結部分における接触面積が減少し、両者の組付き力が大きく低下するので好ましくない。
【０００８】
また、この従来の鼻隠し用取付金具４０は、上記した理由から、横部材４１と縦部材４２の組付角度αを自在に変更することができないといった問題がある。建物の屋根はそれぞれ勾配が異なるので、それに対応した角度で鼻隠しを取付けるためには、横部材４１と縦部材４２の組付角度αを自在に調整できるようにすることが望ましい。
【０００９】
そこで、本発明の目的とするところは、作業性に優れ、取扱いが容易で、さらに各建物の屋根の勾配に対応して横部材と縦部材の組付角度を自在に調整することのできる鼻隠し用取付金具を提供することにある。
【課題を解決するための手段】
【００１０】
上記の目的を達成するために、本発明の請求項１に記載の発明は、建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、しかも、前記締結部材を軸に前記縦部材の上部側が前記横部材の垂直壁に上からかぶさる方向に回動するときに、横部材の垂直壁の前端側上端角部が侵入する受け孔を、縦部材の前面壁の、側面壁との連接部分側に形成し、横部材に対して縦部材を前記略Ｌ字状から略直線状になるまで回動自在としたことを特徴とする。
【００１１】
また、請求項２に記載の発明は、建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、
しかも、前記締結部材を軸に前記縦部材の上部側が前記横部材の垂直壁に上からかぶさる方向に回動するときに、横部材の垂直壁の前端側上端角部が侵入する受け凹部を、縦部材の前面壁の、側面壁との連接部分側に形成し、横部材に対して縦部材を前記略Ｌ字状から略直線状になるまで回動自在としたことを特徴とする。
【００１２】
さらに、請求項３に記載の発明は、建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、しかも、前記締結部材を軸に前記縦部材の上部側が前記横部材の垂直壁に上からかぶさる方向に回動するときに、横部材の垂直壁の前端側上端角部が侵入する受け孔を、縦部材の前面壁と側面壁との連接部分を内側に折り曲げて形成した補強段部に形成し、横部材に対して縦部材を前記略Ｌ字状から略直線状になるまで回動自在としたことを特徴とする。
【００１３】
また、請求項４に記載の発明は、建物の屋根の先端を覆い隠す鼻隠しを屋根に取付けるための取付金具であり、
水平壁と垂直壁からなる断面Ｌ字状で、前記水平壁は、屋根の先端上部に略横方向に取付けられ、前記垂直壁は、水平壁から上方に向けて立設されるとともに前端部にボルト孔が形成されてなる、横部材と、
前面壁と側面壁からなる断面Ｌ字状で、前記前面壁は、縦方向に配置されその前側に前記鼻隠しが取付けられ、前記側面壁は、前面壁から屋根の先端側に向けて垂設されるとともに縦方向の長孔が形成されてなる、縦部材とを備え、
前記横部材の垂直壁に形成されたボルト孔を、前記縦部材の側面壁に形成された長孔に一致させるように、縦部材の側面壁内側に、横部材の垂直壁外側を重ねて略Ｌ字状とし、前記ボルト孔と長孔とを締結部材で、横部材に対して縦部材が昇降自在でかつ回動自在に締結し、しかも、前記締結部材を軸に前記縦部材の上部側が前記横部材の垂直壁に上からかぶさる方向に回動するときに、横部材の垂直壁の前端側上端角部が侵入する受け凹部を、縦部材の前面壁と側面壁との連接部分を内側に折り曲げて形成した補強段部に形成し、横部材に対して縦部材を前記略Ｌ字状から略直線状になるまで回動自在としたことを特徴とする。
【００１４】
また、請求項５に記載の発明は、請求項１または３に記載の発明における受け孔を、前記横部材が縦部材に対して最上位の位置で、横部材に対して縦部材を回動させた際に、横部材の垂直壁の前端側上端角部が侵入できる位置に形成したことを特徴とする。
【００１５】
また、請求項６に記載の発明は、請求項２または４に記載の発明における受け凹部を、前記横部材が縦部材に対して最上位の位置で、横部材に対して縦部材を回動させた際に、横部材の垂直壁の前端側上端角部が侵入できる位置に形成したことを特徴とする。
【００１６】
また、請求項７に記載の発明は、請求項１乃至６に記載された縦部材の前面壁の、前記側面壁が連接された部分とは逆側に別の側面壁を連接して、断面コ字状の縦部材としたことを特徴とする。
【発明の効果】
【００１７】
本発明の鼻隠し用取付金具によれば、縦部材の前面壁の、側面壁との連接部分側に、横部材の垂直壁の前端側上端角部が侵入できる受け孔又は受け凹部を形成し、横部材に対して縦部材を回動自在として横部材と縦部材との形状を略Ｌ字状から略直線状になるようにしたので、これにより、横部材と縦部材を予め略直線状に重ねた状態で締結部材で仮止めしておくことにより、現場において横部材と縦部材を締結するといった作業を省くことができる。従って、現場での作業性を向上させることができる。
【００１８】
また、このように横部材と縦部材は、略直線状に重ねた状態で仮止めすることができるので、従来の略Ｌ字状の場合と比較して嵩張らない。従って、その取扱いが容易である。
さらに、横部材に対して縦部材を回動し、横部材と縦部材間の組付角度を調整することによって、鼻隠しを、屋根の勾配に対応した所望の角度で取付けることができ、屋根に鼻隠しを取付けた後の微調整も容易である。
なお、横部材の垂直壁の前端側上端角部が侵入できる受け孔と受け凹部を比較した場合、加工のしやすさでは受け孔の方が有利であり、鼻隠し用取付金具として強度では受け凹部の方が有利である。
【００１９】
また、本発明の鼻隠し用取付金具によれば、縦部材の前面壁と側面壁との連接部分を内側に折り曲げて補強段部を形成したので、縦部材の強度を高めることができる。これにより、鼻隠しを、屋根にさらに強固に取付けることができる。
また、その補強段部に、横部材の垂直壁の前端側上端角部が侵入できる受け孔又は受け凹部を形成し、横部材に対して縦部材を回動させることができるので、これにより、横部材と縦部材を予め直線状に重ねた状態で仮止めしておくことができ、現場での作業性を向上させることができる共に、その取扱いが容易となる。また、鼻隠しを、屋根の勾配に対応した角度で取付けることができる。
【００２０】
また、本発明の鼻隠し用取付金具によれば、受け孔又は受け凹部を、横部材が縦部材に対して最上位の位置で、横部材に対して縦部材を回動させた際に、横部材の垂直壁の前端側上端角部が侵入できる位置に形成したので、横部材と縦部材の位置決めを容易に行うことができる。これにより、現場での作業性をさらに向上させることができる。
【００２１】
また、本発明の鼻隠し用取付金具によれば、縦部材を、前面壁とその一側端に連接した側面壁とから断面Ｌ字状にしたものに、前面壁のもう一つの側端に別の側面壁を連接することによって縦部材を断面コ字状にしたので、縦部材自体の強度をさらに向上させることができる。
【発明を実施するための最良の形態】
【００２２】
図１乃至図６を参照して、本発明の第一実施形態に係る鼻隠し用取付金具１について説明する。図１は本発明の第一実施形態に係る取付金具１によって、鼻隠しを波板屋根Ｒに取付けた状態を示す部分斜視図であり、図２はその要部分解斜視図である。また、図３は本発明の第一実施形態に係る取付金具１を示す斜視図であり、図４はその分解斜視図である。図５は、当該取付金具１の縦部材を拡大して示す要部斜視図であり、図６は、そのＡ−Ａ線拡大断面図である。従来例で示したものと同一部分には同一符号を付した。
【００２３】
この鼻隠し用取付金具１は、建物の波板屋根Ｒの先端を覆い隠す鼻隠しＦを波板屋根Ｒに取付けるためのものであり、横部材１０と縦部材２０を備える。
横部材１０は、所定長さの水平壁１１と垂直壁１２からなる断面Ｌ字状で、屋根Ｒの先端上部に略横方向に取付けられる。水平壁１１が屋根Ｒの先端上部に接する状態で略横方向に取付けられる。また、垂直壁１２は、水平壁１１の一側面から上方に向けて立設されている。この垂直壁１２の前端部にボルト孔１３が形成されている。
一方、縦部材２０も横部材１０と同様に、所定長さの前面壁２１と側面壁２２からなる断面Ｌ字状のものである。前面壁２１は、縦方向に配置されその前側に鼻隠しＦが取付けられる。また、側面壁２２は、前面壁２１の一側面から屋根Ｒの先端側に向けて垂設されるとともに縦方向に長孔２３が形成されている。
【００２４】
縦部材２０の上端部の内面側に、横部材１０の前端部を侵入させ、横部材１０の垂直壁１２に形成されたボルト孔１３を、縦部材２０の側面壁２２に形成された長孔２３に一致させるようにして、横部材１０の垂直壁１２の外側が、縦部材２０の側面壁２２の内側に重ねられる。そして、垂直壁１２のボルト孔１３と、側面壁２２の長孔２３に挿通されるボルト３１を有する締結部材３０によって、横部材１０に対して縦部材２０が昇降自在でかつ回動自在に締結される。締結部材３０は、図４に示すように、ボルト３１、ナット３２および座金３３を備える。このとき、横部材１０と縦部材２０とは、図３に示すように、略Ｌ字状に取付けられる。
【００２５】
そして、締結部材３０を軸にして縦部材２０の上部側が横部材１０の垂直壁１２に上からかぶさる方向、図３においては矢印Ｃの方向に回動するときに、横部材１０の垂直壁１２の前端側上端角部１２ａが侵入する受け孔２４を、図５に示すように、縦部材２０の前面壁２１の、側面壁２２との連接部分側に形成している。
これにより、横部材１０に対して縦部材２０を略Ｌ字状から略直線状になるまで容易に回動自在としたものである。
なお、受け孔２４を縦部材２０の前面壁２１の上部のみに設けているが、上部から下部にわたって広範に設けることもできる。
【００２６】
このように、この鼻隠し用取付金具１では、前面壁２１に、垂直壁１２の前端側上端角部１２ａが侵入できる受け孔２４を形成しているので、図３，図７に示すように、締結部材３０を軸にして縦部材２０の上部側が横部材１０の垂直壁１２に上からかぶさる矢印Ｃの方向に回動するとき、あるいは、締結部材３０を軸にして横部材１０の後端部側が上昇する矢印Ｄの方向に回動するときに、前端側上端角部１２ａが受け孔２４に侵入するので、前端側上端角部１２ａが前面壁２１に当接することなく、そのまま円滑に回動させることができる。
これにより、図８に示すように、横部材１０と縦部材２０を予め略直線状に重ねた状態で、かつ収縮状態として締結部材３０で仮止めしておくことにより、持ち運び等の取扱いが容易となる。また、現場において横部材１０と縦部材２０を締結するといった作業を省くことができるので、現場での作業性が向上する。長孔２３を縦方向に長く設けることによって横部材１０を縦部材２０に十分収納することができる。
【００２７】
さらに、横部材１０と縦部材２０の組付角度αを調整することによって、鼻隠しＦを、屋根Ｒの勾配に対応した所望角度で取付けることができる。また、組付けた後の微調整も容易に行うことができる。
【００２８】
なお、受け孔２４に代えて、図９および図１０に示すように、縦部材２０の前面壁２１の、側面壁２２との連接部分側を、前面側２１の前側、すなわち外側に凹ませて受け凹部２５を形成し、この受け凹部２５に、前記回動時に、横部材１０の垂直壁１２の前端側上端角部１２ａが侵入するようにしてもよい。この場合も、受け孔２４を設けた場合と同様の効果を発揮する。
【００２９】
また、図７で示すように、受け孔２４を、横部材１０が縦部材２０に対して最上位の位置で、横部材１０に対して縦部材２０を回動させた際に、横部材１０の垂直壁１２の前端側上端角部１２ａが侵入できる位置に形成することもできる。
この場合、横部材１０と縦部材２０の位置合わせが容易となるので、現場での作業性がさらに向上する。
【００３０】
次に、図１１を参照して、本発明の第二実施形態に係る鼻隠し用取付金具１について説明する。図１１は第二実施形態に係る取付金具１を示す要部斜視図である。
この鼻隠し用取付金具１は、縦部材２０の構造に特徴を有するもので、横部材１０は第一実施形態に示すものと同じ構成である。すなわち、縦部材２０の前面壁２１と側面壁２２との連接部分を内側に折り曲げて断面Ｌ字状の補強段部２６を形成し、その補強段部２６の、横部材１０の垂直壁１２の前端側が対向する部分に、垂直壁１２の前端側上端角部１２ａが侵入できる受け孔２４を形成している。なお、この受け孔２４は、補強段部２６を設けたことを考慮して、前面壁２１の上部のみに設けているが、第一実施形態と同様に、上部から下部にわたって広範に設けることもできる。
【００３１】
この取付金具１は、補強段部２６を形成したことによって縦部材２０の強度を高めることができ、よって、鼻隠しＦを、より強固に波板屋根Ｒに取付けることができる。また、補強段部２６に受け孔２４を形成したので、横部材１０に対する縦部材２０の回動、あるいは縦部材２０に対する横部材１０の回動が可能となり、よって、両者を予め直線状に重ねた状態で、かつ両者を収縮状態として仮止めしておくことができる。これにより、取扱いが容易となり、現場での作業性が向上する。また、両者の組付角度αを自在に調整することができるので、鼻隠しＦを、波板屋根Ｒの勾配に対応した角度で取付けることができる。
【００３２】
なお、この受け孔２４に代えて、図１２に示すように、受け凹部２５を形成することができる。この場合も、受け孔２４と同様の効果を得ることができる。
【００３３】
また、受け凹部２５を、横部材１０が縦部材２０に対して最上位の位置で、横部材１０に対して縦部材２０を回動させた際に、横部材１０の垂直壁１２の前端側上端角部１２ａが侵入できる位置に形成することもできる（図７参照）。その場合、横部材１０と縦部材２０の位置決めを容易に行うことができるので、現場での作業性がさらに向上する。
【００３４】
なお、第一実施形態および第二実施形態に係る鼻隠し用取付金具１の縦部材２０は、共に、図１３に示すような形状とすることができる。また、図１４に示すように、前面壁２１の左右両側に一対の側面壁２２を設けて断面コ字状とすることもできる。これによって、縦部材２０の強度をさらに高め、鼻隠しＦを、より強固に波板屋根Ｒに取付けることができる。
また、本実施形態では、図１及び図２に示すように、建物の波板屋根Ｒの頂部が軒先に向って延びる方向のその波板屋根Ｒの頂部に、鼻隠し用取付金具１の横部材１０の水平壁１１を当接させて固定する例を示したが、建物の波板屋根Ｒの頂部が軒先に向って延びる方向に垂直方向に形成される場合であってもその波板屋根Ｒの頂部に鼻隠し用取付金具１の横部材１０の水平壁１１を当接させて固定すればよいので適用しうる。
【図面の簡単な説明】
【００３５】
【図１】本発明の第一実施形態に係る取付金具によって、鼻隠しを波板屋根に取付けた状態を示す部分斜視図である。
【図２】図１に示す取付金具の取付け状態を示す要部分解斜視図である。
【図３】本発明の第一実施形態に係る取付金具を示す斜視図である。
【図４】図３に示す取付金具の分解斜視図である。
【図５】図３に示す取付金具の縦部材を拡大して示す要部斜視図である。
【図６】図５のＡ−Ａ線拡大断面図である。
【図７】図３に示す取付金具において、縦部材に対して横部材を回動した状態を示す要部側面図である。
【図８】図３に示す取付金具の収縮（収納）状態を示すもので、（ａ）は収縮前を、（ｂ）は収縮後を示す側面図である。
【図９】本発明の第一実施形態に係る取付金具の他の態様を示す要部斜視図である。
【図１０】図９のＢ−Ｂ線拡大断面図である。
【図１１】本発明の第二実施形態に係る取付金具を示す要部斜視図である。
【図１２】図１１に示す取付金具の他の態様を示す要部斜視図である。
【図１３】本発明の第一および第二実施形態に係る取付金具の縦部材の他の態様を示す側面図である。
【図１４】本発明の第一および第二実施形態に係る取付金具の縦部材のさらに他の態様を示す側面図である。
【図１５】従来例に係る取付金具の外面側を示す斜視図である。
【図１６】図１５に示す取付金具の内面側を示す斜視図である。
【図１７】図１５に示す取付金具の回動時の当接を示す部分断面側面図である。
【符号の説明】
【００３６】
１      鼻隠し用取付金具（取付金具）
１０      横部材
１１      水平壁
１２      垂直壁
１２ａ    上端角部
１３      ボルト孔
２０      縦部材
２１      前面壁
２２      側面壁
２３      長孔
２４      受け孔
２５      受け凹部
２６      補強段部
３０      締結部材
３１      ボルト
３２      ナット
３３      座金
４０      取付金具
４１      横部材
４１ａ    前端角部
４１ｂ    切欠
４２      縦部材
４２ａ    内側面
Ｒ      屋根
Ｆ      鼻隠し
α      組付角度
【図１】
2007277934.tif 000003
【図２】
2007277934.tif 000004
【図３】
2007277934.tif 000005
【図４】
2007277934.tif 000006
【図５】
2007277934.tif 000007
【図６】
2007277934.tif 000008
【図７】
2007277934.tif 000009
【図８】
2007277934.tif 000010
【図９】
2007277934.tif 000011
【図１０】
2007277934.tif 000012
【図１１】
2007277934.tif 000013
【図１２】
2007277934.tif 000014
【図１３】
2007277934.tif 000015
【図１４】
2007277934.tif 000016
【図１５】
2007277934.tif 000017
【図１６】
2007277934.tif 000018
【図１７】
2007277934.tif 000019